(57)【要約】【課題】本発明は、配管内における差水の発生の有無を確度よく判定することができるとともに、湿度センサの駆動に要する電力量を抑制させることができるガス遮断装置を提供する。【解決手段】本発明に係るガス遮断装置は、配管を介して供給されたガスが流通する計測流路と、計測流路内を流通するガスの流量を計測する流量計測部と、計測流路内の湿度を間欠的に検知する湿度センサと、計測流路の開閉を行う遮断部と、制御部と、を備え、制御部は、遮断部により計測流路が開放されている状態において、湿度センサによって検知された湿度の値の時系列変化に基づき、配管内における差水の発生の有無を判定するとともに、流量計測部によって計測されたガスの流量の値に基づき、計測流路内をガスが流れていると判定した場合、湿度センサを間欠的に駆動させる間隔を、ガスが流れていると判定する前の間隔よりも短くするように制御する。【選択図】図６
2020134398.tif 000002
【特許請求の範囲】
【請求項１】
配管を介して供給されたガスが流通する計測流路と、
前記計測流路内を流通するガスの流量を計測する流量計測部と、
前記計測流路内の湿度を間欠的に検知する湿度センサと、
前記計測流路の開閉を行う遮断部と、
制御部と、を備え、
前記制御部は、前記遮断部により前記計測流路が開放されている状態において、前記湿度センサによって検知された湿度の値の時系列変化に基づき、前記配管内における差水の発生の有無を判定するとともに、前記流量計測部によって計測されたガスの流量の値に基づき、前記計測流路内をガスが流れていると判定した場合、前記湿度センサを間欠的に駆動させる間隔を、ガスが流れていると判定する前の間隔よりも短くするように制御するガス遮断装置。
【請求項２】
配管を介して供給されたガスが流通する計測流路と、
前記計測流路内を流通するガスの流量を計測する流量計測部と、
前記計測流路内の湿度を間欠的に検知する湿度センサと、
前記計測流路の開閉を行う遮断部と、
制御部と、を備え、
前記制御部は、前記遮断部により前記計測流路が開放されている状態において、前記湿度センサによって検知された湿度の値の時系列変化に基づき、前記配管内における差水の発生の有無を判定するとともに、前記湿度センサによって検知された湿度の値の時系列変化に基づき、湿度が上昇していると判定した場合、前記湿度センサを間欠的に駆動させる間隔を、湿度が上昇していると判定する前の間隔よりも短くするように制御するガス遮断装置。
【請求項３】
前記制御部は、前記湿度センサによって検知された湿度の値の時系列変化に基づき、湿度が上昇していると判定した場合、前記湿度センサを間欠的に駆動させる間隔を、湿度が上昇していると判定する前の間隔よりも短い間隔である第１の間隔に変更するように制御しており、
前記制御部は、湿度が上昇していると判定すると共に、前記流量計測部によって計測されたガスの流量の値に基づき、前記計測流路内をガスが流れていると判定した場合、前記湿度センサを間欠的に駆動させる間隔を、前記第１の間隔よりも短い間隔である第２の間隔に変更するように制御する請求項２に記載のガス遮断装置。
【請求項４】
配管を介して供給されたガスが流通する計測流路と、
前記計測流路内を流通するガスの流量を計測する流量計測部と、
前記計測流路内の湿度を間欠的に検知する湿度センサと、
前記計測流路の開閉を行う遮断部と、を備えるガス遮断装置の制御方法であって、
前記遮断部により前記計測流路が開放されている状態において、前記湿度センサによって検知された湿度の値の時系列変化に基づき、前記配管内における差水の発生の有無を判定するステップと、
前記流量計測部によって計測されたガスの流量の値に基づき、前記計測流路内をガスが流れていると判定した場合、前記湿度センサを間欠的に駆動させる間隔を、ガスが流れていると判定する前の間隔よりも短くするステップと、を含むガス遮断装置の制御方法。
【請求項５】
配管を介して供給されたガスが流通する計測流路と、
前記計測流路内を流通するガスの流量を計測する流量計測部と、
前記計測流路内の湿度を間欠的に検知する湿度センサと、
前記計測流路の開閉を行う遮断部と、を備えるガス遮断装置の制御方法であって、
前記遮断部により前記計測流路が開放されている状態において、前記湿度センサによって検知された湿度の値の時系列変化に基づき、前記配管内における差水の発生の有無を判定するステップと、
前記湿度センサによって検知された湿度の値の時系列変化に基づき、湿度が上昇していると判定した場合、前記湿度センサを間欠的に駆動させる間隔を、湿度が上昇していると判定する前の間隔よりも短くするステップと、を含むガス遮断装置の制御方法。
【発明の詳細な説明】
【技術分野】
【０００１】
本発明は、配管内における差水の発生を検出するガス遮断装置（ガスメータ）およびガス遮断装置の制御方法に関する。
【背景技術】
【０００２】
埋設されたガス管の近傍に水道管が埋設されている場合、当該水道管が破損したときに破損箇所からの水流が周辺の土砂や石を巻き込み、当該土砂や石がガス管に衝突するサンドブラストが発生することがある。当該サンドブラストによりガス管が破損した場合、ガス管の内部に泥水が侵入する（以下、差水と呼ぶことがある）ことがある。
【０００３】
このように、配管内に差水が発生すると、供給されるガス中に水分が含まれ、ガスの供給不良、またはガス流量の測定不良等が生じる可能性がある。また、ガス需要家宅に備えられているガス機器においてバーナの着火不良が生じたり、バーナにおけるガスの噴出口から水が噴出したりする可能性もある。
【０００４】
そこで、上記した問題を解決するために、配管内において差水が発生したことを検出することができるガス遮断装置（ガス管内差水検出装置）が提案されている（例えば、特許文献１）。
【０００５】
特許文献１に開示されたガス遮断装置（ガス管内差水検出装置）は、所定の流路内を流れるガス中の湿度を検出する湿度検出器と、湿度検出器からの出力に基づいて、所定の流路にガスを導くガス管内に水が浸入したか否か判定する判定手段とを備えている。
【先行技術文献】
【特許文献】
【０００６】
【特許文献１】特開２００１−３１８０１９号公報
【発明の概要】
【発明が解決しようとする課題】
【０００７】
従来のガス遮断装置は、配管内に差水が発生しているか否かを判定するために用いられる湿度センサ（湿度検出器）の駆動に要する電力量の抑制について考慮されていないという問題がある。
【０００８】
本発明はこのような課題を解決するためになされたものであって、配管内における差水の発生の有無を確度よく判定することができるとともに、湿度センサの駆動に要する電力量を抑制させることができるガス遮断装置およびガス遮断装置の制御方法を提供することを目的とする。
【課題を解決するための手段】
【０００９】
本発明に係るガス遮断装置の一態様（ａｓｐｅｃｔ）は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、制御部と、を備え、前記制御部は、前記遮断部により前記計測流路が開放されている状態において、前記湿度センサによって検知された湿度の値の時系列変化に基づき、前記配管内における差水の発生の有無を判定するとともに、前記流量計測部によって計測されたガスの流量の値に基づき、前記計測流路内をガスが流れていると判定した場合、前記湿度センサを間欠的に駆動させる間隔を、ガスが流れていると判定する前の間隔よりも短くするように制御する。
【００１０】
本発明に係るガス遮断装置の一態様は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、制御部と、を備え、前記制御部は、前記遮断部により前記計測流路が開放されている状態において、前記湿度センサによって検知された湿度の値の時系列変化に基づき、前記配管内における差水の発生の有無を判定するとともに、前記湿度センサによって検知された湿度の値の時系列変化に基づき、湿度が上昇していると判定した場合、前記湿度センサを間欠的に駆動させる間隔を、湿度が上昇していると判定する前の間隔よりも短くするように制御する。
【００１１】
本発明に係るガス遮断装置の制御方法の一態様は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、を備えるガス遮断装置の制御方法であって、前記遮断部により前記計測流路が開放されている状態において、前記湿度センサによって検知された湿度の値の時系列変化に基づき、前記配管内における差水の発生の有無を判定するステップと、前記流量計測部によって計測されたガスの流量の値に基づき、前記計測流路内をガスが流れていると判定した場合、前記湿度センサを間欠的に駆動させる間隔を、ガスが流れていると判定する前の間隔よりも短くするステップと、を含む。
【００１２】
本発明に係るガス遮断装置の制御方法の一態様は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、を備えるガス遮断装置の制御方法であって、前記遮断部により前記計測流路が開放されている状態において、前記湿度センサによって検知された湿度の値の時系列変化に基づき、前記配管内における差水の発生の有無を判定するステップと、前記湿度センサによって検知された湿度の値の時系列変化に基づき、湿度が上昇していると判定した場合、前記湿度センサを間欠的に駆動させる間隔を、湿度が上昇していると判定する前の間隔よりも短くするステップと、を含む。
【発明の効果】
【００１３】
本発明では、以上の構成により、配管内における差水の発生の有無を確度よく判定することができるとともに、湿度センサの駆動に要する電力量を抑制させることができるという効果を奏する。
【図面の簡単な説明】
【００１４】
【図１】計測流路が開弁された状態でかつガスの不使用期間およびガスの使用期間における計測流路内の湿度変化を示す時系列データの一例である。
【図２】本発明の実施の形態に係るガス遮断装置の構成例を示すブロック図である。
【図３】図２に示すガス遮断装置の差水判定処理に関する構成の一例を示すブロック図である。
【図４】図２に示すガス遮断装置による差水判定処理の一例を示すフローチャートである。
【図５】図２に示すガス遮断装置による差水判定処理の変形例の一例を示すフローチャートである。
【図６】図２に示すガス遮断装置の有する湿度センサの駆動制御に関する構成の一例を示すブロック図である。
【図７】図２に示すガス遮断装置の有する湿度センサの駆動制御の一例を示すフローチャートである。
【図８】図２に示すガス遮断装置が有する湿度センサの駆動制御の変形例１の一例を示すフローチャートである。
【図９】図２に示すガス遮断装置が有する湿度センサの駆動制御の変形例２の一例を示すフローチャートである。
【発明を実施するための形態】
【００１５】
（本発明の一形態を得るに至った経緯）
本発明者らは配管内における差水の発生を検出することができるガス遮断装置として、上記した特許文献１に係るガス遮断装置（ガス管内差水検出装置）のように、湿度センサ（湿度検出器）を用いる構成について鋭意検討した結果、以下の知見を得た。
【００１６】
まず特許文献１に開示されたガス遮断装置（ガス管内差水検出装置）では、以下の構成が提案されている。
【００１７】
すなわち、所定の流路内を流れるガスの湿度を検出する湿度検出器と、湿度検出器からの出力に基づいて、所定の流路にガスを導く配管内に水が浸入したか否か判定する判定手段を備える。この構成により、流路内を流れるガスを検出対象としてガス中の水分の混入を検出することができる。
【００１８】
しかしながら、特許文献１に開示されたガス遮断装置では、湿度センサの駆動の態様と、駆動に要する電力量とについて考慮されていないという問題がある。
【００１９】
つまり、湿度センサは、消費電力量が大きい。そのため、通常、消費電力量を抑制するように、間欠的に駆動させ、湿度を検出するように構成されている。ここで、特許文献１に開示されたガス遮断装置の構成において、湿度センサを間欠的に駆動させた場合、以下の問題が生じる。
【００２０】
すなわち、湿度センサを間欠的に駆動させる間隔を短くすると湿度の変化（湿度の時系列データの変化）の検出精度は向上するが、湿度の検出に要する電力量が大きくなる。一方、湿度センサを間欠的に駆動させる間隔を長くすると湿度の検出に要する電力量を抑制することができるが、湿度の変化の検出精度が低くなる。
【００２１】
そこで、本発明者らは、配管内における差水の発生を検出するにあたり、湿度の変化を詳細に把握する必要がある期間では、湿度センサを間欠的に駆動させる間隔をより短くし、湿度の変化を詳細に把握する必要がない期間では、湿度センサを間欠的に駆動させる間隔をより長くすることで、湿度センサの消費電力量を抑制しつつ、適切に差水の発生を検出することができることを見出した。
【００２２】
具体的には、図１に示すように配管に差水が生じている場合、ガス不使用期間およびガスの使用開始後において湿度の時系列データに特徴的な変化が見られることを見出した。
【００２３】
なお、図１は、計測流路が開弁された状態でかつガスの不使用期間およびガスの使用期間における計測流路内の湿度変化を示す時系列データの一例である。図１において、実線により配管に差水が生じている場合の湿度の時系列変化を示し、一点鎖線により配管に差水が生じていない場合の湿度の時系列変化を示している。
【００２４】
より具体的には、図１に示すように、配管内に差水が生じている場合、ガスの不使用期間において徐々に湿度が上昇する。一方、配管内に差水が生じていない場合は、ガスの不使用期間においてほぼ湿度に変化が見られない。さらに、配管内に差水が生じている場合、ガスの使用が開始されると、短時間（数十秒）だけ湿度が急増するピークが生じるが、配管内に差水が生じていない場合はこのようなピークが生じない。
【００２５】
このように、本発明者らは、配管内に差水が発生している場合、ガス不使用期間およびガスの使用開始後において湿度の時系列データに特徴的な変化がみられることに気が付いた。
【００２６】
そして、配管内に差水が発生している時の図１に示す湿度の特徴的な時系列データの変化から、配管内における差水の有無を判定する構成とすることで、配管内に差水が発生しているか否か適切に判定することができることを見出した。
【００２７】
さらに、この特徴的な時系列データの変化が見られる期間では、湿度センサを間欠的に駆動させる間隔を短くし、それ以外の期間では湿度センサを間欠的に駆動させる間隔を長くすることで、配管内における差水の発生を確度よく判定することができるとともに湿度センサの駆動に要する電力量を低減させることができることを見出した。
【００２８】
上記した本発明者等の知見は、これまで明らかにされていなかったものであり、顕著な作用効果を奏する新規な技術的特徴を有するものである。そこで、本発明は具体的には以下に示す態様を提供する。
【００２９】
本発明の第１の態様に係るガス遮断装置は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、制御部と、を備え、前記制御部は、前記遮断部により前記計測流路が開放されている状態において、前記湿度センサによって検知された湿度の値の時系列変化に基づき、前記配管内における差水の発生の有無を判定するとともに、前記流量計測部によって計測されたガスの流量の値に基づき、前記計測流路内をガスが流れていると判定した場合、前記湿度センサを間欠的に駆動させる間隔を、ガスが流れていると判定する前の間隔よりも短くするように制御する。
【００３０】
上記構成によると、制御部は、流量計測部によって計測されたガスの流量の値に基づき、計測流路内をガスが流れていると判定した場合、湿度センサを間欠的に駆動させる間隔をガスが流れていると判定する前の間隔よりも短くするように制御する。このため、配管内に差水が発生している場合に現れる、ガスの使用開始後における湿度の時系列変化のピークの有無を確度よく判定することができる。
【００３１】
また、ガスの使用開始後から湿度センサを間欠的に駆動させる間隔を短くするように制御するため、湿度センサの駆動に要する電力量を抑制することができる。
【００３２】
よって、配管内における差水の発生の有無を確度よく判定することができるとともに、湿度センサの駆動に要する電力量を抑制させることができるという効果を奏する。
【００３３】
本発明の第２の態様に係るガス遮断装置は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、制御部と、を備え、前記制御部は、前記遮断部により前記計測流路が開放されている状態において、前記湿度センサによって検知された湿度の値の時系列変化に基づき、前記配管内における差水の発生の有無を判定するとともに、前記湿度センサによって検知された湿度の値の時系列変化に基づき、湿度が上昇していると判定した場合、前記湿度センサを間欠的に駆動させる間隔を、湿度が上昇していると判定する前の間隔よりも短くするように制御する。
【００３４】
上記構成によると、制御部は、湿度センサによって検知された湿度の値の時系列変化に基づき、湿度が上昇していると判定した場合、湿度センサを間欠的に駆動させる間隔を、湿度が上昇していると判定する前の間隔よりも短くするように制御する。このため、配管内に差水が発生している場合に現れる湿度の特徴的な時系列変化の有無を確度よく判定することができる。
【００３５】
また、湿度が上昇していると判定した時点から湿度センサを間欠的に駆動させる間隔を短くするように制御するため、湿度センサの駆動に要する電力量を抑制することができる。
【００３６】
よって、配管内における差水の発生の有無を確度よく判定することができるとともに、湿度センサの駆動に要する電力量を抑制させることができるという効果を奏する。
【００３７】
本発明の第３の態様に係るガス遮断装置は、上記した第２の態様において、前記制御部は、前記湿度センサによって検知された湿度の値の時系列変化に基づき、湿度が上昇していると判定した場合、前記湿度センサを間欠的に駆動させる間隔を、湿度が上昇していると判定する前の間隔よりも短い間隔である第１の間隔に変更するように制御しており、前記制御部は、湿度が上昇していると判定すると共に、前前記流量計測部によって計測されたガスの流量の値に基づき、前記計測流路内をガスが流れていると判定した場合、前記湿度センサを間欠的に駆動させる間隔を、前記第１の間隔よりも短い間隔である第２の間隔に変更するように制御するように構成されていてもよい。
【００３８】
上記構成によると、制御部は、湿度が上昇していると判定した場合、湿度センサを間欠的に駆動させる間隔を、第１の間隔に変更して短くすることができる。このため、配管内に差水が発生している場合に現れる湿度の特徴的な時系列変化の有無を確度よく判定することができる。
【００３９】
また、湿度が上昇していると判定した時点から湿度センサを間欠的に駆動させる間隔を第１の間隔に変更させて短くすることができるため、湿度センサの駆動に要する電力量を抑制することができる。
【００４０】
さらにまた、制御部は、湿度が上昇していると判定すると共に、計測流路内をガスが流れていると判定した場合、湿度センサを間欠的に駆動させる間隔を、第１の間隔よりも短い間隔である第２の間隔に変更させて短くすることができるため、湿度センサの駆動に要する電力量を抑制することができる。
【００４１】
また、ここで、計測流路内をガスが流れていないガス不使用期間における湿度の時系列変化よりも、ガスの使用開始後における湿度の時系列変化の方が短時間で大きく変化する。
【００４２】
そこで、本発明の第３の態様に係るガス遮断装置では、ガス不使用期間よりもガスの使用開始後の方が湿度センサを間欠的に駆動させる間隔を短くするように構成されている。
【００４３】
このため、ガス不使用期間およびガスの使用開始後それぞれにおいて湿度の時系列変化を適切に得ることができる。それ故、配管内における差水の有無の判定を確度よく行うことができる。
【００４４】
本発明の第４の態様に係るガス遮断装置の制御方法は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、を備えるガス遮断装置の制御方法であって、前記遮断部により前記計測流路が開放されている状態において、前記湿度センサによって検知された湿度の値の時系列変化に基づき、前記配管内における差水の発生の有無を判定するステップと、前記流量計測部によって計測されたガスの流量の値に基づき、前記計測流路内をガスが流れていると判定した場合、前記湿度センサを間欠的に駆動させる間隔を、ガスが流れていると判定する前の間隔よりも短くするステップと、を含む。
【００４５】
上記方法によると、流量計測部によって計測されたガスの流量の値に基づき、計測流路内をガスが流れていると判定した場合、湿度センサを間欠的に駆動させる間隔を、ガスが流れていると判定する前の間隔よりも短くする。このため、配管内に差水が発生している場合に現れる、ガスの使用開始後における湿度の時系列変化のピークの有無を確度よく判定することができる。
【００４６】
また、ガスの使用開始後から湿度センサを間欠的に駆動させる間隔を短くするため、湿度センサの駆動に要する電力量を抑制することができる。
【００４７】
よって、配管内における差水の発生の有無を確度よく判定することができるとともに、湿度センサの駆動に要する電力量を抑制させることができるという効果を奏する。
【００４８】
本発明の第５の態様に係るガス遮断装置の制御方法は、配管を介して供給されたガスが流通する計測流路と、前記計測流路内を流通するガスの流量を計測する流量計測部と、前記計測流路内の湿度を間欠的に検知する湿度センサと、前記計測流路の開閉を行う遮断部と、を備えるガス遮断装置の制御方法であって、前記遮断部により前記計測流路が開放されている状態において、前記湿度センサによって検知された湿度の値の時系列変化に基づき、前記配管内における差水の発生の有無を判定するステップと、前記湿度センサによって検知された湿度の値の時系列変化に基づき、湿度が上昇していると判定した場合、前記湿度センサを間欠的に駆動させる間隔を、湿度が上昇していると判定する前の間隔よりも短くするステップと、を含む。
【００４９】
上記方法によると、湿度センサによって検知された湿度の値の時系列変化に基づき、湿度が上昇していると判定した場合、湿度センサを間欠的に駆動させる間隔を湿度が上昇していると判定する前の間隔よりも短くする。このため、配管内に差水が発生している場合に現れる湿度の特徴的な時系列変化の有無を確度よく判定することができる。
【００５０】
また、湿度が上昇していると判定した時点から湿度センサを間欠的に駆動させる間隔を短くするため、湿度センサの駆動に要する電力量を抑制することができる。
【００５１】
よって、配管内における差水の発生の有無を確度よく判定することができるとともに、湿度センサの駆動に要する電力量を抑制させることができるという効果を奏する。
【００５２】
以下、本発明の代表的な実施の形態を、図面を参照しながら説明する。なお、以下では全ての図を通じて同一又は相当する要素には同一の参照符号を付して、その重複する説明を省略する。
【００５３】
［ガス遮断装置の構成］
本実施の形態に係るガス遮断装置１００は、図２に示すように、流量計測部２０と、制御部２１と、報知部２２と、遮断部２３と、湿度センサ２４とを備えた、ガスメータである。図２は、本発明の実施の形態に係るガス遮断装置１００の構成例を示すブロック図である。
【００５４】
ガス遮断装置１００では、計測流路１１は、ガスの流れ方向において上流側の端部で、例えば公道下に敷設された配管（不図示）と接続されている供給管１０と第１接続部２５を介して接続されている。一方、計測流路１１は、下流側の端部で、需要家に引き込まれる室内管１２と第２接続部２６を介して接続されている。
【００５５】
このため、配管を流通するガスは供給管１０を介して計測流路１１を流れ、室内管１２を通じて需要家に設けられたガス機器に供給することができる。
【００５６】
なお、計測流路１１には、上流側から順に遮断部２３、湿度センサ２４、および流量計測部２０が設けられている。
【００５７】
遮断部２３は、計測流路１１の開閉を行う装置であり、制御部２１からの制御指示に応じて計測流路１１を遮断して閉状態としたり、開放させて開状態としたりする。遮断部２３は、例えば、電磁遮断弁または機械式遮断弁等を挙げることができる。遮断部２３は、地震など有事の発生時には、制御部２１から送信された電気信号に応じて計測流路１１を遮断する構成としてもよいし、感震器(不図示)の動作に応じて、計測流路１１を遮断する構成としてもよい。
【００５８】
湿度センサ２４は、計測流路１１内の湿度を検知する装置であり、検知された値は制御部２１に送信される。
【００５９】
流量計測部２０は、計測流路１１を流通する単位時間当たりのガスの流量を計測する装置である。流量計測部２０は膜式ガスメータであってもよいし超音波式ガスメータであってもよい。あるいは、例えば、電子的な検出原理を利用したフローセンサ、あるいはフルイディック方式等の瞬時流量計によってガス流量を求めるように構成されていてもよい。流量計測部２０によって計測されたガスの流量を示す値は制御部２１に送信される。
【００６０】
制御部２１は、ガス遮断装置１００が備える各部の各種制御を行うものであり、ＣＰＵ等の演算部（不図示）、及びＲＯＭ、ＲＡＭ等の記憶部（不図示）を備えている。記憶部には、例えば、ガス遮断装置１００の基本プログラム及び各種固定データ等の情報が記憶されており、演算部はこの基本プログラム等を読み出して実行することにより、制御部２１は各部の動作を制御する。なお、制御部２１は、集中制御する単独の制御部によって構成されていてもよいし、互いに協働して分散制御する複数の制御部によって構成されていてもよい。
【００６１】
報知部２２は、外部に情報を知らせる装置であり、例えば、配管内における差水の発生を外部に通知することができる。報知部２２は、例えば、音声で通知する場合は音響装置、通信回線網を通じて外部装置に通知する場合は通信インタフェース、光などで通知する場合は発光装置等が例示できる。
【００６２】
次に、本実施の形態に係るガス遮断装置１００における差水の有無を判定する差水判定処理に関する構成について図３を参照して説明する図３は、図２に示すガス遮断装置１００の差水判定処理に関する構成の一例を示すブロック図である。
【００６３】
［差水判定処理］
（差水判定処理に関する構成）
図３に示すように、制御部２１は、差水判定処理に関する機能ブロックとして、湿度上昇判定部３１、流量演算部３２、流通判定部３３、および差水判定部３４を備える。
【００６４】
湿度上昇判定部３１は、湿度センサ２４によって検知された計測流路１１内の湿度の値を所定の間隔で逐次受け付け、湿度が上昇したか否か判定する。湿度上昇判定部３１は、湿度センサ２４によって検知された湿度の値を逐次受け付け、記憶部（不図示）に時系列データを記憶する。そして、湿度上昇判定部３１は、この時系列データの変化に基づき、湿度の上昇の有無を判定する。
【００６５】
例えば、湿度上昇判定部３１は、時系列データにおいて、直近の湿度の値と前回、受け付けた湿度の値とを比較して湿度の上昇の有無を判定する構成であってもよい。あるいは、湿度上昇判定部３１は、時系列データにおける直近のｎ個（ｎは任意の自然数）のデータの平均を求めた移動平均の値の変化から湿度の上昇の有無を判定する構成であってもよい。
【００６６】
また、湿度の値が所定値以上変化した場合に湿度上昇判定部３１は、湿度が上昇したと判定してもよい。換言すると湿度センサ２４による湿度の測定誤差に対処するため、湿度の値が所定値以上変化していない場合は、仮に検知された直近の湿度の値が前回、検知された湿度の値よりも大きくなっていても湿度が上昇したとは判定しない。
【００６７】
流量演算部３２は、流量計測部２０によって計測された値を所定の間隔で逐次受け付ける。そして、流量演算部３２は、受け付けた値に基づき、計測流路１１を流れるガスの流量値を求める。
【００６８】
流通判定部３３は、流量演算部３２によって求めたガスの流量値に基づき、計測流路１１内をガスが流れているか否か判定する。
【００６９】
ここで、流通判定部３３が、ガスが流れていると判定した場合、ガスが使用されている状態にあることを示す。一方、流通判定部３３が、ガスが流れていないと判定した場合、ガスが使用されていない状態にあることを示す。
【００７０】
差水判定部３４は、湿度上昇判定部３１の判定結果と、流通判定部３３の判定結果とに基づき、配管における差水の有無を判定する。具体的には、差水判定部３４は、湿度が上昇していると判定し、かつ計測流路１１内をガスが流れていないと判定した場合、配管内に差水が発生していると判定する。
【００７１】
差水判定部３４は、差水の有無の判定結果において、配管内に差水が生じていると判定した場合、その判定結果を報知部２２に送信する。報知部２２は、差水判定部３４の判定結果を受信すると、外部に対して配管内における差水の発生を報知する。
【００７２】
（差水判定処理フロー）
上記した構成を有するガス遮断装置１００では、図４に示すフローチャートにより差水判定処理を実施する。図４は、図２に示すガス遮断装置１００による差水判定処理の一例を示すフローチャートである。
【００７３】
すなわち、図４に示すように、遮断部２３により計測流路１１が開放されている状態（開状態）において、湿度上昇判定部３１が湿度センサ２４から湿度の値を逐次、受け付ける（ステップＳ１１）。そして、受け付けた湿度の値に基づき、湿度が上昇したか否か判定する（ステップＳ１２）。
【００７４】
ここで、湿度上昇判定部３１が、湿度が上昇していないと判定した場合（ステップＳ１２において「Ｎｏ」）、ステップＳ１１に戻って、湿度の値を所定の間隔で逐次受け付ける。
【００７５】
一方、湿度が上昇したと判定した場合（ステップＳ１２において「Ｙｅｓ」）、流量演算部３２が、流量計測部２０によって検知された値に基づき、計測流路１１内を流れるガスの流量を求める（ステップＳ１３）。流量演算部３２によって求められたガスの流量の値に基づき、流通判定部３３が計測流路１１内をガスが流れているか否か判定する（ステップＳ１４）。
【００７６】
ここで、流通判定部３３が、計測流路１１内をガスが流れていると判定した場合（ステップＳ１４において「Ｎｏ」）、ステップＳ１３に戻って、流量演算部３２が、流量計測部２０によって計測された値を所定の間隔で逐次受け付け、計測流路１１内を流れるガスの流量を求める。
【００７７】
一方、流通判定部３３が、計測流路１１内をガスが流れていないと判定した場合（ステップＳ１４において「Ｙｅｓ」）、差水判定部３４は、配管内に差水が発生していると判定する。そして、配管内における差水の発生を報知するように報知部２２を制御する（ステップＳ１５）。
【００７８】
なお、上記ではステップＳ１１およびステップＳ１２によって湿度の上昇判定を行った後、湿度が上昇している場合に、ステップＳ１３およびステップＳ１４によって計測流路１１内をガスが流れているか否か判定する構成であった。
【００７９】
しかしながら、ステップＳ１３およびステップＳ１４を先に実行し、計測流路１１内をガスが流れていない場合に、ステップＳ１１およびステップＳ１２を実行してもよい。あるいは、ステップＳ１１およびステップＳ１２とステップＳ１３およびステップＳ１４を並行して実行して、湿度が上昇し、かつ計測流路１１内をガスが流れていないという条件を満たす場合に配管内において差水が発生していると差水判定部３４が判定してもよい。
【００８０】
以上のように、本発明の実施の形態に係るガス遮断装置１００は、計測流路１１が開弁状態でかつ、ガスが流れていない時に、配管内に差水が発生したか否か判定することができる。このため、ガスが使用される前の時点で適切に配管内に差水が発生したか否か判定し、外部に報知することができる。
【００８１】
なお、本発明の実施の形態に係るガス遮断装置１００では、ガスの不使用期間において計測流路１１内の湿度が上昇した場合に配管内に差水が生じていると判定する構成であった。しかしながら、ガスの使用が確認されたタイミング（計測流路１１内をガスが流れていると判定したタイミング）から所定期間における湿度の時系列データから所定期間に所定値以上、湿度が上昇し、かつ湿度が下降しているか否か判定し配管内の差水の発生を判定する構成としてもよい。
【００８２】
すなわち、ガスの使用開始後の短時間に生じる、湿度が急増しピークが生じる変化から配管内の差水の発生を判定する構成としてもよい。以下、差水判定処理の変形例について説明する。
【００８３】
［差水判定処理の変形例］
差水判定処理の変形例に関する制御部２１の機能ブロックは、図３に示す機能ブロックと同様であるため説明は省略する。
【００８４】
ガス遮断装置１００は、図５に示すようにして差水判定処理の変形例を実施する。図５は、図２に示すガス遮断装置１００による差水判定処理の変形例の一例を示すフローチャートである。
【００８５】
すなわち、図５に示すように、遮断部２３により計測流路１１が開放されている状態（開状態）において、流量演算部３２が、流量計測部２０によって検知された値に基づき、計測流路１１内を流れるガスの流量を求める（ステップＳ２１）。流量演算部３２によって求められたガスの流量の値に基づき、流通判定部３３が計測流路１１内をガスが流れているか否か確認して、ガスの使用が開始されたか否か判定する（ステップＳ２２）。
【００８６】
ガスの使用が開始されたと判定されない間（ステップＳ２２において「Ｎｏ」）は、ステップＳ２１に戻って流量演算部３２がガスの流量を求める。
【００８７】
一方、ガスの使用が開始されたと判定された場合、湿度上昇判定部３１が湿度センサ２４から湿度の値を逐次、受け付ける（ステップＳ２３）。そして、受け付けた湿度の値に基づき、湿度が所定期間において所定値以上、上昇し、かつその後、降下したか否か判定する（ステップＳ２４）。
【００８８】
湿度上昇判定部３１が、湿度が所定期間において所定値以上、上昇し、かつその後、降下したと判定した場合（ステップＳ２４において「Ｙｅｓ」）、差水判定部３４は、配管内に差水が発生していると判定する。そして、配管内における差水の発生を報知するように報知部２２を制御する（ステップＳ２５）。
【００８９】
一方、ステップＳ２４において「Ｎｏ」の場合、配管内に差水が発生していないと判定する（ステップＳ２６）。
【００９０】
なお、制御部２１は、上記した差水判定処理および差水判定処理の変形例の両方を実施し、両方の判定で配管内に差水が発生したと判定した場合に、配管内における差水の発生を報知するように報知部２２を制御する構成としてもよい。
【００９１】
以上のように、制御部２１は、湿度センサ２４によって検知された値の時系列変化に基づき、配管内における差水の有無を判定することができる。また、このように、差水判定処理を実施するにあたり、制御部２１は、湿度センサ２４を以下のように間欠的に駆動させるように制御する。
【００９２】
［湿度センサの駆動制御］
（湿度センサの駆動制御に関する構成）
次に、本実施の形態に係るガス遮断装置１００における湿度センサの駆動制御に関する構成について図６を参照して説明する。図６は、図２に示すガス遮断装置１００の有する湿度センサ２４の駆動制御に関する構成の一例を示すブロック図である。
【００９３】
図６に示すように、制御部２１は、湿度センサ２４の駆動制御に関する機能ブロックとして、湿度上昇判定部３１、流量演算部３２、流通判定部３３、および測定間隔指示部３５を備える。なお、湿度上昇判定部３１、流量演算部３２、および流通判定部３３については、上記した「差水判定処理に関する構成」において説明したため、ここでは説明を省略する。
【００９４】
測定間隔指示部３５は、流通判定部３３の判定結果および湿度上昇判定部３１の判定結果の少なくとも１つの判定結果に基づき、湿度センサ２４を間欠的に駆動させる間隔を指示する。
【００９５】
本発明の実施の形態に係るガス遮断装置１００では、湿度センサ２４を間欠的に駆動させる駆動パターンとして、湿度センサ２４を間欠的に駆動させる間隔がより短い駆動パターンＡと間隔がより長い駆動パターンＢとが設定されている。
【００９６】
なお、駆動パターンＡを、例えば、数秒間隔で湿度センサ２４を間欠的に駆動させるパターンとし、駆動パターンＢを、例えば、数十秒間隔で湿度センサ２４を間欠的に駆動させるパターンとしてもよい。
【００９７】
そして、通常では、駆動パターンＢで湿度センサ２４を間欠的に駆動させ、湿度センサ２４の消費電力量を抑制している。そして、差水が発生しているか否か判定することができるガスの使用開始後からの所定期間において駆動パターンＢから駆動パターンＡに切替えて、湿度変化の検出精度を高めるように構成されている。なお、ガスの使用開始後からの所定期間は固定された期間であってもよいし、ガスの流量が所定値を超えたと判定するまでの期間であってもよい。
【００９８】
なお、湿度センサ２４を間欠的に駆動させる間隔は、上記した駆動パターンＡ、Ｂに限定されるものではなく、駆動パターンＢよりもさらに間欠的に駆動させる間隔がより長い駆動パターン（駆動パターンＣ）がさらに設定されていてもよい。
【００９９】
この駆動パターンに関する情報は記憶部（不図示）に予め記憶されており、測定間隔指示部３５は、記憶されている駆動パターンを参照して湿度センサ２４を間欠的に駆動させる駆動パターンを、別の駆動パターンに切り換えるように制御する。例えば、測定間隔指示部３５は、湿度センサ２４の駆動パターンを駆動パターンＢから駆動パターンＡに切換えたり、駆動パターンＡから駆動パターンＢに切り換えたりするように制御する。
【０１００】
また、湿度センサ２４が駆動パターンＡで駆動する期間を、ガスの使用開始後からの固定された期間とする場合、測定間隔指示部３５は、計時部（不図示）によって計測された時間に基づき駆動パターンＡで湿度センサ２４を駆動させる期間を管理する。一方、湿度センサ２４が駆動パターンＡで駆動する期間を、ガスの使用開始後からガスの流量が所定値を超えるまでとする場合は、測定間隔指示部３５は、流量演算部３２によって求めたガスの流量値に基づき、ガスの流量が所定値を超えたか否か判定し、駆動パターンＡで湿度センサ２４を駆動させる期間を管理する構成としてもよい。
【０１０１】
（湿度センサの駆動制御フロー）
上記した構成を有するガス遮断装置１００では、図７に示すフローチャートにより湿度センサ２４の駆動制御を実施する。図７は、図２に示すガス遮断装置１００の有する湿度センサ２４の駆動制御の一例を示すフローチャートである。
【０１０２】
すなわち、図７に示すように、遮断部２３により計測流路１１が開放されている状態（開状態）で、流量演算部３２が、流量計測部２０によって検知された値に基づき、計測流路１１内を流れるガスの流量を求める（ステップＳ３１）。流量演算部３２によって求められたガスの流量の値に基づき、流通判定部３３が計測流路１１内をガスが流れているか否か判定する（ステップＳ３２）。
【０１０３】
ここで、流通判定部３３が、計測流路１１内をガスが流れていないと判定した場合（ステップＳ３２において「Ｎｏ」）、ステップＳ３１に戻って、流量演算部３２が、流量計測部２０によって計測された値を所定の間隔で逐次受け付け、計測流路１１内を流れるガスの流量を求める。なお、ステップＳ３２の判定を行う際にガス遮断装置１００において湿度センサ２４の駆動パターンが駆動パターンＡに設定されている場合、ステップＳ３２において「Ｎｏ」と判定したとき、測定間隔指示部３５は、湿度センサ２４を駆動させる間隔を駆動パターンＢに戻すように構成していてもよい。
【０１０４】
一方、流通判定部３３が、計測流路１１内をガスが流れていると判定した場合（ステップＳ３２において「Ｙｅｓ」）、測定間隔指示部３５は、湿度センサ２４を駆動させる間隔を変更させる（ステップＳ３３）。
【０１０５】
具体的には、測定間隔指示部３５は、駆動パターンＢからより駆動させる間隔が短くなる駆動パターンＡで駆動するように湿度センサ２４を制御する。このように、制御部２１では、湿度センサ２４を、ガスの使用開始後から所定期間は駆動パターンＡで駆動するように制御する。
【０１０６】
以上のように、計測流路１１内をガスが流れて、ガスが使用開始されたと判定すると、湿度センサ２４を間欠的に駆動させる間隔がより短くなるように制御することができる。このため、図１に示すように、管内に差水が発生しているときにガスの使用開始後に現れる湿度変化のピークを確度よく検出することができる。
【０１０７】
また、ガスが使用開始されるまでは、湿度センサ２４を間欠的に駆動させる間隔が長くなる駆動パターンＢで駆動させるように制御しており、ガスの使用開始後から所定期間は湿度センサ２４を間欠的に駆動させる間隔が短くなる駆動パターンＡで駆動させるように制御されている。このため、湿度センサ２４の駆動に要する電力量を抑制することができる。
【０１０８】
［湿度センサの駆動制御の変形例１］
以下において、湿度センサ２４の駆動制御の変形例１について説明する。湿度センサ２４の駆動制御の変形例１に関する制御部２１の機能ブロックは、図６に示す機能ブロックと同様であるため説明は省略する。
【０１０９】
ガス遮断装置１００は、図８に示すようにして湿度センサ２４の駆動制御の変形例１を実施する。図８は、図２に示すガス遮断装置１００が有する湿度センサ２４の駆動制御の変形例１の一例を示すフローチャートである。
【０１１０】
すなわち、図８に示すように、遮断部２３により計測流路１１が開放されている状態（開状態）において、湿度上昇判定部３１が湿度センサ２４から湿度の値を逐次、受け付ける（ステップＳ４１）。そして、受け付けた湿度の値に基づき、湿度が上昇したか否か判定する（ステップＳ４２）。
【０１１１】
ここで、湿度上昇判定部３１が、湿度が上昇していないと判定した場合（ステップＳ４２において「Ｎｏ」）、ステップＳ４１に戻って、湿度の値を所定の間隔で逐次受け付ける。なお、ステップＳ４２の判定を行う際にガス遮断装置１００において湿度センサ２４の駆動パターンが駆動パターンＡに設定されている場合、ステップＳ４２において「Ｎｏ」と判定したとき、測定間隔指示部３５は、湿度センサ２４を駆動させる間隔を駆動パターンＢに戻すように構成していてもよい。
【０１１２】
一方、湿度上昇判定部３１が、湿度が上昇したと判定した場合（ステップＳ４２において「Ｙｅｓ」）、測定間隔指示部３５は、湿度センサ２４を間欠的に駆動させる間隔を変更させる（ステップＳ４３）。
【０１１３】
具体的には、測定間隔指示部３５は、駆動パターンＢからより駆動させる間隔がより短くなる駆動パターンＡで駆動するように湿度センサ２４を制御する。このように、制御部２１では、湿度センサ２４を、湿度が上昇したタイミングから所定期間は駆動パターンＡで駆動するように制御する。
【０１１４】
以上のように、計測流路１１内の湿度が上昇したと判定すると、湿度センサ２４を間欠的に駆動させる間隔がより短くなるように制御することができる。このため、図１に示すように、管内に差水が発生しているときにガスの不使用期間に現れる湿度の上昇を確度よく検出することができる。
【０１１５】
また、計測流路１１内の湿度が上昇するまでは、湿度センサ２４を間欠的に駆動させる間隔が長くなる駆動パターンＢで駆動させるように制御しており、湿度の上昇後からの所定期間は湿度センサ２４を間欠的に駆動させる間隔が短くなる駆動パターンＡで駆動させるように制御されている。このため、湿度センサ２４の駆動に要する電力量を抑制することができる。
【０１１６】
また、上記した湿度センサの駆動制御の変形例１において、ガスの流量に基づきガスが流れているか否かについても並行して判定し、ガスが流れていない（ガス不使用期間）状態でかつ、ステップＳ４２において湿度が上昇したと判定した場合に、ステップＳ４３において湿度センサ２４を間欠的に駆動させる間隔が短くなるように駆動パターンを変更させる構成としてもよい。
【０１１７】
なお、「湿度センサの駆動制御の変形例１」では、湿度の上昇を検出したタイミングで湿度センサ２４を間欠的に駆動させる間隔をより短い間隔とすることができる。このため、図７に示す湿度センサ２４の駆動制御と比較して、管内に差水が発生している時に現れる湿度の時系列データの特徴的な変化をより確実に検出することができる。
【０１１８】
その一方で、ガスの使用開始よりも前の段階で湿度センサ２４を間欠的に駆動させる間隔を短くするため、湿度センサ２４の駆動に要する電力量が図７に示す湿度センサ２４の駆動制御と比較して大きくなる。
【０１１９】
なお、上記した図８に示す湿度センサ２４の駆動制御と、図８に示す湿度センサ２４の駆動制御の変形例１とを組み合わせて、湿度センサ２４の間欠的な駆動の間隔を変更させる構成としてもよい。以下において、湿度センサ２４の駆動制御の変形例２について図９を参照して説明する。図９は、図２に示すガス遮断装置１００が有する湿度センサ２４の駆動制御の変形例２の一例を示すフローチャートである。
【０１２０】
［湿度センサの駆動制御の変形例２］
まず、湿度センサ２４の駆動制御の変形例２では、湿度センサ２４を間欠的に駆動させる駆動パターンとして上記した駆動パターンＡ、駆動パターンＢ、および駆動パターンＣの３パターンがある。なおここで、駆動パターンＡが本発明の第２の間隔に、駆動パターンＢが本発明の第１の間隔に相当する。
【０１２１】
湿度センサ２４の駆動制御の変形例２に関する制御部２１の機能ブロックは、図６に示す機能ブロックと同様であるため説明は省略する。
【０１２２】
ガス遮断装置１００は、図９に示すように、遮断部２３により計測流路１１が開放されている状態（開状態）において、湿度上昇判定部３１が湿度センサ２４から湿度の値を逐次、受け付ける（ステップＳ５１）。そして、受け付けた湿度の値に基づき、湿度が上昇したか否か判定する（ステップＳ５２）。
【０１２３】
ここで、湿度上昇判定部３１が、湿度が上昇していないと判定した場合（ステップＳ５２において「Ｎｏ」）、ステップＳ５１に戻って、湿度の値を所定の間隔で逐次受け付ける。なお、ステップＳ５２の判定を行う際にガス遮断装置１００において湿度センサ２４の駆動パターンが駆動パターンＡまたは駆動パターンＢに設定されている場合、ステップＳ５２において「Ｎｏ」と判定したとき、測定間隔指示部３５は、湿度センサ２４を駆動させる間隔を駆動パターンＣに戻すように構成してもよい。
【０１２４】
一方、湿度が上昇したと判定した場合（ステップＳ５２において「Ｙｅｓ」）、測定間隔指示部３５は、湿度センサ２４を駆動させる間隔を変更させるように制御する（ステップＳ５３）。具体的には、測定間隔指示部３５は、駆動パターンＣからより駆動させる間隔が短くなる駆動パターンＢで駆動するように湿度センサ２４を制御する。このように、制御部２１は、湿度センサ２４を、湿度が上昇したタイミングから駆動パターンＢで駆動するように制御する。
【０１２５】
さらに、流量演算部３２が、流量計測部２０によって検知された値に基づき、計測流路１１内を流れるガスの流量を求める（ステップＳ５４）。流量演算部３２によって求められたガスの流量の値に基づき、流通判定部３３が計測流路１１内をガスが流れているか否か判定する（ステップＳ５５）。
【０１２６】
ここで、流通判定部３３が、計測流路１１内をガスが流れていないと判定した場合（ステップＳ５５において「Ｎｏ」）、ステップＳ５４に戻って、流量演算部３２が、流量計測部２０によって計測された値を所定の間隔で逐次受け付け、計測流路１１内を流れるガスの流量を求める。なお、ステップＳ５５の判定を行う際にガス遮断装置１００において湿度センサ２４の駆動パターンが駆動パターンＡに設定されている場合、ステップＳ３２において「Ｎｏ」と判定したとき、測定間隔指示部３５は、湿度センサ２４を駆動させる間隔を駆動パターンＢに戻すように構成していてもよい。
【０１２７】
一方、流通判定部３３が、計測流路１１内をガスが流れていると判定した場合（ステップＳ５５において「Ｙｅｓ」）、測定間隔指示部３５は、湿度センサ２４を駆動させる間隔を変更させるように制御する（ステップＳ５６）。具体的には、測定間隔指示部３５は、駆動パターンＢから駆動させる間隔がより短くなる駆動パターンＡで駆動するように湿度センサ２４を制御する。
【０１２８】
このように、制御部２１は、ガスの使用が開始されたタイミングから駆動パターンＡで所定期間、駆動するように湿度センサ２４を制御する。
【０１２９】
なお、上記ではステップＳ５１およびステップＳ５２によって湿度の上昇判定を行った後、湿度が上昇している場合に、湿度センサ２４を間欠的に駆動させる間隔を変更させ、その後、ステップＳ５４およびステップＳ５５によって計測流路１１内をガスが流れているか否か判定する構成であった。
【０１３０】
しかしながら、ステップＳ５１〜ステップＳ５３とステップＳ５４〜ステップＳ５６を並行して実行してもよい。そして、湿度上昇判定部３１が、湿度が上昇したと判定した場合、測定間隔指示部３５が湿度センサ２４の駆動パターンを駆動パターンＣから駆動パターンＢに変更させるように制御してもよい。また、流通判定部３３が、計測流路１１内をガスが流れていると判定した場合、測定間隔指示部３５が湿度センサ２４の駆動パターンを駆動パターンＢから駆動パターンＡに変更させるように制御してもよい。
【０１３１】
本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【０１３２】
本発明は、湿度センサによって検知された値に基づき、配管内に差水が生じたか否か判定することができるガス遮断装置等の分野に広く好適に用いることができる。
【符号の説明】
【０１３３】
１１  計測流路
２０  流量計測部
２１  制御部
２２  報知部
２３  遮断部
２４  湿度センサ
３１  湿度上昇判定部
３２  流量演算部
３３  流通判定部
３４  差水判定部
３５  測定間隔指示部
１００  ガス遮断装置
【図１】
2020134398.tif 000003
【図２】
2020134398.tif 000004
【図３】
2020134398.tif 000005
【図４】
2020134398.tif 000006
【図５】
2020134398.tif 000007
【図６】
2020134398.tif 000008
【図７】
2020134398.tif 000009
【図８】
2020134398.tif 000010
【図９】
2020134398.tif 000011